(57)【特許請求の範囲】
【請求項１】
バッテリー又は外部からの電力を供給する電源からの電力供給を受けて動作する無線装置と、
前記無線装置を制御する無線制御装置とを有し、
前記無線制御装置は、前記無線装置における前記電源と前記バッテリーとの電力供給元の切り替えに応じて、周波数及び時間により定められる複数のリソースブロックのうちスケジューリング可能なリソースブロックの番号又は最大数を指定することにより、前記無線装置の運用帯域を変更する制御を行うことを特徴とする無線基地局装置。
【請求項２】
前記無線装置は自装置における電力供給元が前記電源と前記バッテリーとで切り替わったことを前記無線制御装置に通知し、
前記無線制御装置は、前記通知に応じて前記無線装置の運用帯域を変更する制御を行うこと
を特徴とする請求項１記載の無線基地局装置。
【請求項３】
前記無線装置は、前記バッテリーからの電力供給を受けて動作しているとき、前記バッテリーの残量を前記無線制御装置に通知し、
前記無線制御装置は、前記無線装置から通知された前記バッテリーの残量に応じて、前記無線装置の運用帯域を変更する制御を行う、
ことを特徴とする請求項１に記載の無線基地局装置。
【請求項４】
バッテリー又は外部からの電力を供給する電源からの電力供給を受けて動作する無線装置と、
前記無線装置を制御する無線制御装置とを有し、
前記無線装置は、電力供給が前記電源と前記バッテリーとで切り替わったことを前記無線制御装置に通知し、
前記無線制御装置は、前記無線装置における前記電源と前記バッテリーとの電力供給元の切り替えに応じて、周波数及び時間により定められる複数のリソースブロックのうちスケジューリング可能なリソースブロックの番号又は最大数を指定することにより、前記無線装置に対してスケジューリングする帯域幅を変更する制御を行うことを特徴とする無線基地局装置。
【請求項５】
複数の運用帯域により無線端末と無線信号を送受信する送受信増幅部と、
バッテリー又は外部からの電力を供給する電源部と、
前記電源部を監視して前記電源部からの電力供給が止まったときに前記バッテリーに切り替える電源監視部と、
電力供給が前記電源から前記バッテリーに切り替わったことを無線制御装置に通知し、周波数及び時間により定められる複数のリソースブロックのうちスケジューリング可能なリソースブロックの番号又は最大数を指定する前記無線制御装置からの指示に応じて前記送受信増幅部の運用帯域を変更する制御を行う制御部とを有する無線装置。
【発明の詳細な説明】
【技術分野】
【０００１】
本発明はバッテリー動作可能な無線基地局装置に関する。本発明は、例えば直交周波数分割多重方式（ＯＦＤＭ）の無線基地局装置に適用できる。
【背景技術】
【０００２】
無線通信サービスでは、災害や停電時でも運用を継続するために、各無線設備についてバッテリー設備を備えることが多い。
【０００３】
無線基地局装置はCommon Public Radio Interface（ＣＰＲＩ）を用いた、無線制御装置（ＲＥＣ：Radio Equipment Controller、以下ＲＥＣと呼ぶ）と無線装置（ＲＥ：Radio Equipment。以下ＲＥと呼ぶ）の2つに分離された構成をとることが一般的となっている。
【０００４】
ここで、ＲＥは屋上の空きスペースやポールに設置されることが多く小型化が求められている。また、ＲＥは局から離れた遠隔地に単独で設置されることも多い。この場合、バッテリー設備はＲＥ単独で準備されることになり、ＲＥ同様に小型化が求められることになる。
【０００５】
一方、商用サービスに向けて第３．９世代無線通信システムの開発が進められている。
【０００６】
第３．９世代無線通信システムで採用されているＯＦＤＭでは、サブキャリアを複数束ねて1つのリソースブロックとして扱い、そのリソースブロックを、パイロット（Pilot）信号の送信や、共有チャネルとして複数ユーザで共有したユーザデータの送受信に用いる。
【０００７】
図１は、ＯＦＤＭが採用されている第３．９世代無線通信システムであるＬＴＥ（Long Term Evolution）の下りリンク（Downlink）、１０ＭＨｚ帯域幅、Normal CPの場合のリソースブロックの例を示す図である。
【０００８】
本例では、５０のリソースブロックに分割されており、このリソースブロックを複数ユーザで共有することになる。このリソースブロックの割り当ては、ベースバンド信号処理部で処理され、通常の運用では、運用される周波数帯域の利用効率が最大となるように、スケジューリングが行われている。
【先行技術文献】
【特許文献】
【０００９】
【特許文献１】特開２００６−３０４１９５号公報
【特許文献２】特開平９−５１３０４号公報
【発明の概要】
【発明が解決しようとする課題】
【００１０】
バッテリーを小型化するには、ＲＥの消費電力を抑えることが有効である。しかし、従来、ＲＥがバッテリー動作状態になっても、ＲＥＣはＲＥの運用帯域やＲＥ対するスケジューリング動作の変更は行われていない。
【００１１】
したがって、本発明は、ＲＥがバッテリー動作状態になったときにＲＥの消費電力を低減することを目的とする。
【課題を解決するための手段】
【００１２】
一態様による無線基地局装置は、バッテリー又は外部からの電力を供給する電源からの電力供給を受けて動作する無線装置と、前記無線装置を制御する無線制御装置とを有し、前記無線制御装置は、前記無線装置における前記電源と前記バッテリーとの電力供給元の切り替えに応じて、前記無線装置の運用帯域を変更する制御を行うことを特徴とする。
【００１３】
他の態様による無線基地局装置は、バッテリー又は外部からの電力を供給する電源からの電力供給を受けて動作する無線装置と、前記無線装置を制御する無線制御装置とを有し、前記無線装置は、電力供給が前記電源と前記バッテリーとで切り替わったことを前記無線制御装置に通知し、前記無線制御装置は、前記無線装置における前記電源と前記バッテリーとの電力供給元の切り替えに応じて、前記無線装置に対してスケジューリングする帯域幅を変更する制御を行うことを特徴とする。
【００１４】
さらに他の態様による無線装置は、複数の運用帯域により無線端末と無線信号を送受信する送受信増幅部と、バッテリー又は外部からの電力を供給する電源部と、前記電源部を監視して前記電源部からの電力供給が止まったときに前記バッテリーに切り替える電源監視部と、電力供給が前記電源から前記バッテリーに切り替わったことを無線制御装置に通知し、前記無線制御装置からの指示に応じて前記送受信増幅部の運用帯域を変更する制御を行う制御部とを有する。
【発明の効果】
【００１５】
無線装置がバッテリー動作状態になったときに、無線装置の消費電力を低減することができる。
【図面の簡単な説明】
【００１６】
【図１】ＬＴＥのリソースブロックの例を示す図である。
【図２】一実施形態による無線基地局装置の構成を示すブロック図である。
【図３】実施例１による運用帯域変更を示すシーケンス図である。
【図４】実施例１による運用帯域判定を示すフローチャートである。
【図５】実施例１による運用帯域設定の例を示す図である。
【図６】実施例２による運用帯域変更を示すシーケンス図である。
【図７】実施例２による運用帯域判定を示すフローチャートである。
【図８】実施例２による運用帯域設定の例を示す図である。
【図９】実施例３によるスケジューリング可能リソースブロック判定を示すシーケンス図である。
【図１０】実施例３によるスケジューリング可能リソースブロック判定を示すフローチャートである。
【図１１】実施例３によるスケジューリング可能リソースブロック設定の例を示す図である。
【図１２】実施例４によるスケジューリング可能最大リソースブロック数判定を示すフローチャートである。
【図１３】実施例４によるスケジューリング可能最大リソースブロック数設定の例を示す図である。
【図１４】実施例５によるスケジューリング可能リソースブロック判定を示すシーケンス図である。
【図１５】実施例５によるスケジューリング可能リソースブロック判定を示すフローチャートである。
【図１６】実施例５によるスケジューリング可能リソースブロック設定の例を示す図である。
【図１７】実施例６によるスケジューリング可能最大リソースブロック数判定を示すフローチャートである。
【図１８】実施例６によるスケジューリング可能最大リソースブロック数設定の例を示す図である。
【発明を実施するための形態】
【００１７】
図面を参照して実施形態を詳細に説明する。図面を通して、同じ構成要素には同じ参照符号を付し、繰り返しの説明は省略した。
【００１８】
図２は、一実施形態による無線基地局装置１００の構成を示すブロック図である。無線基地局装置１００は、１つ以上のＲＥ（ＲＥ＃１〜＃ｎ）１０と、各ＲＥ１０と通信可能に接続されたＲＥＣ２０とを含む。この接続は例えばＣＰＲＩを用いた光ケーブルによる有線接続である。他の実施形態では、この接続はエントランス無線を用いた無線接続であってもよい。
【００１９】
各ＲＥ１０は、アンテナ１１、送受信増幅部１２、インタフェース部１３、制御部１４、電源監視部１５、電源部１６、バッテリー１７を有する。また、ＲＥ１０は、内部に備えられるバッテリー１７に替えて外部バッテリー１８が接続されていてもよい。
【００２０】
アンテナ１１は、無線端末との間で無線信号を送受信する。アンテナ１１が受信した受信信号は、送受信増幅部１２で増幅され、インタフェース部１３に送られる。インタフェース部１３は、受信信号をＣＰＲＩ信号に変換してＲＥＣ２０に送信する。
【００２１】
制御部１４は、ＲＥ１０の各部を制御する。電源監視部１５は、電源部１６を監視し、外部からの電源部１６への電力供給が停止すると、バッテリー１７または外部バッテリー１８に電源供給元を切り替える。
【００２２】
また、ＲＥＣ２０は、インタフェース部２１、ベースバンド信号処理部２２、回線終端部２３、制御部２４、メモリ２５を有する。
【００２３】
インタフェース部２１は、ＲＥ１０から受信したＣＰＲＩ信号をベースバンド信号に変換する。インタフェース部２１が変換したベースバンド信号はベースバンド信号処理部２２で処理され、回線終端部２３に送られる。回線終端部２３は回線終端処理を行い、必要に応じてユーザデータをコアネットワークに送信する。
【００２４】
制御部２４は、ＲＥＣ２０の各部を制御する。メモリ２５は制御部２４がＲＥ１０やＲＥＣ２０の制御に用いるデータを記憶する。
【００２５】
以下、その他の図面もさらに参照して、無線基地局装置１００の動作をさらに詳しく説明する。
【実施例１】
【００２６】
図２及び図３〜図５を参照して実施例１を説明する。図３は、実施例１によるバッテリー動作時の運用帯域変更を示すシーケンス図である。図４は、実施例１による運用帯域判定を示すフローチャートであり、図５は、実施例１による運用帯域設定の例を示す図である。
【００２７】
ＲＥ１０の電源監視部１５は常時電源部１６を監視し、電源供給断となった場合（ステップＳ１０）にバッテリー動作への切替を行う（ステップＳ１２）。また、バッテリー動作への切替を、制御部１４へ通知するとともに、ＲＥ１０の制御部１４、インタフェース部１３、ＲＥＣ２０のインタフェース部２１を通してＲＥＣ２０の制御部２４へ通知する（ステップＳ１４）。
【００２８】
ＲＥＣ２０の制御部２４は、通知を受信すると、図４に示すフローチャートに従い、通常電源動作であるか、バッテリー動作であるかにより、運用帯域の判定を実施する（ステップＳ１６）。すなわち、制御部２４は、ＲＥ１０の電源状態を判定して（ステップＰ１０）、通常電源であれば運用帯域を２０ＭＨｚとし（ステップＰ１２）、バッテリー動作であれば運用帯域を５ＭＨｚと指定する（ステップＰ１４）。
【００２９】
ここで指定される運用帯域は、例えば、図５に示すような形でＲＥＣ２０のメモリ２５に格納される。これらの値は、上位装置から書き換え可能である。
【００３０】
ＲＥＣ２０の制御部２４は運用帯域判定後、ベースバンド信号処理部２２、インタフェース部２１、及びＲＥ１０へ帯域変更指示を送出する（ステップＳ１８）。ＲＥ１０向けの帯域変更指示は、ＲＥＣ２０のインタフェース部２１、ＲＥ１０のインタフェース部１３を通してＲＥ１０の制御部１４に通知される。ＲＥ１０の制御部１４は、ＲＥ１０のインタフェース部１３および送受信増幅部１２に帯域変更指示を送出する（ステップＳ２０）。
【００３１】
以上の処理により、例えば、通常時運用帯域が２０ＭＨｚで、バッテリー動作時運用帯域が５ＭＨｚであった場合、送信電力は約１／４になり、その分消費電力も低減され、バッテリー１７（またはバッテリー１７及び外部バッテリー１８）のサイズを小さくすることが可能となる。また、同じバッテリーサイズであれば、長時間の運用が可能となる。
【００３２】
なお、電源供給復旧時は、ＲＥ１０の電源監視部１５で電源供給元をバッテリー１７から電源部１６に切り替え、通常電源動作であることを電源切替通知としてＲＥＣに通知することで、通常運用に復旧することが可能となる。
【００３３】
このように、実施例１では、ＲＥ１０はバッテリー動作になった際に、それをＲＥＣ２０に通知する。ＲＥＣ２０は通知を受けると、システム運用帯域を変更する。これにより送信電力が低減され消費電力が抑えられる為、バッテリーの小型化、もしくはバッテリーでの長時間運用が可能となる。
【実施例２】
【００３４】
図２及び図６〜図８を参照して実施例２を説明する。実施例２は、ＲＥ１０がＲＥＣ２０に、バッテリー動作になったこととともにバッテリー残量も通知する点で実施例１と異なる。図６は、実施例２によるバッテリー動作時の運用帯域変更を示すシーケンス図である。また、図７は実施例２による運用帯域判定を示すフローチャートであり、図８は実施例２による運用帯域設定の例を示す図である。
【００３５】
ＲＥ１０の電源監視部１５は常時電源部１６を監視し、電源供給断となった場合（ステップＳ３０）にバッテリー動作への切替を行う（ステップＳ３２）。また、バッテリー１７にバッテリー残量を確認する（ステップＳ３４）。その後、ＲＥ１０の制御部１４、インタフェース部１３、ＲＥＣ２０のインタフェース部２１を通して制御部２４に、バッテリー動作への切替およびバッテリーの残量を通知する（ステップＳ３６）。
【００３６】
ＲＥＣ２０の制御部２４はこの通知を受信すると、図７に示すフローチャートに従い、通常電源動作であるか、バッテリー動作であるか、また、バッテリー動作の場合、バッテリー残量が事前に設定したバッテリー残量閾値以上であるか、以下であるかにより、運用帯域の判定を実施する（ステップＳ３８）。すなわち、制御部２４は、ＲＥ１０の電源状態を調べ（ステップＰ３０）、バッテリー動作状態であるときはバッテリー残量とバッテリー残量閾値とを比較する（ステップＰ３２）。そして、各場合に応じて運用帯域を指定する（ステップＳ３４〜３８）。ここで指定される運用帯域は、例えば、図８に示すような形でＲＥＣ２０のメモリ２５に格納される。これらの値は、上位装置から書き換え可能である。また、閾値を複数設けることにより、細かい帯域変更が可能となる。
【００３７】
また、点線で囲んで示したように、バッテリー残量の確認（ステップＳ４０）および通知（ステップＳ４２）と運用帯域判定（ステップＳ４４）は周期的に実施され、運用帯域の変更が必要な場合に、運用帯域変更指示が行われる。
【００３８】
ＲＥＣ２０の制御部２４は運用帯域判定後、ベースバンド信号処理部２２、ＲＥＣ２０のインタフェース部２１、及びＲＥ１０へ帯域変更指示を送出する（ステップＳ４６）。ＲＥ１０向けの帯域変更指示は、ＲＥＣ２０のインタフェース部２１、ＲＥ１０のインタフェース部１３を通してＲＥ１０の制御部１４に通知される。ＲＥ１０の制御部１４はＲＥ１０のインタフェース部１３および送受信増幅部１２に帯域変更指示を送出する（ステップＳ４８）。
【００３９】
上記の処理により、電源瞬断によるバッテリー動作時は通常運用と同じ２０ＭＨｚ帯域で運用を続け、故障などによる電源供給断時は５ＭＨｚ帯域で運用し、消費電力を低減することで、バッテリーを長持ちさせる等、柔軟な運用が可能となる。
【００４０】
なお、電源供給復旧時は、ＲＥ１０の電源監視部１５で電源供給元をバッテリー１７から電源部１６に切り替え、通常電源動作であることを電源切替通知としてＲＥＣに通知することで、通常運用に復旧することが可能となる。
【００４１】
このように、実施例２では、ＲＥ１０はバッテリー動作になった際に、バッテリー動作であることとバッテリー残量をＲＥＣ２０に通知する。ＲＥＣ２０は、バッテリー残量と事前に設定しておいたバッテリー残量閾値とを比較することで運用帯域の変更を実施する。これにより、電源瞬断によるバッテリー動作時は通常運用と同じ２０ＭＨｚ帯域で運用を続け、電源故障などによる電源供給断時は５ＭＨｚ帯域で運用する等の柔軟な運用が可能となる。
【実施例３】
【００４２】
図２及び図９〜図１１を参照して、実施例３を説明する。実施例３は、バッテリー動作時にスケジューリング可能リソースブロックを変更する点で、運用帯域を変更する実施例１，２と異なる。図９は実施例３によるバッテリー動作時のスケジューリング可能リソースブロック判定を示すシーケンス図である。また、図１０は実施例３によるスケジューリング可能リソースブロック判定を示すフローチャートであり、図１１は実施例３によるスケジューリング可能リソースブロック設定の例を示す図である。
【００４３】
ＲＥ１０の電源監視部１５は常時電源部１６を監視し、電源供給断となった場合（ステップＳ５０）にバッテリー動作への切替を行う（ステップＳ５２）。また、バッテリー動作への切替を、制御部１４へ通知するとともに、ＲＥ１０の制御部１４、インタフェース部１３、ＲＥＣ２０のインタフェース部２１を通してＲＥＣ２０の制御部２４へ通知する（ステップＳ５４）。
【００４４】
ＲＥＣ２０の制御部２４はこの通知を受信すると、図１０に示すフローチャートに従い、通常電源動作であるか、バッテリー動作であるかにより、スケジューリング可能リソースブロックの判定を実施する（ステップＳ５６）。すなわち、制御部２４は、ＲＥ１０の電源が通常電源であるかバッテリーであるか判定し（ステップＰ５０）、電源に応じてスケジューリング可能リソースブロックを指定する（ステップＰ５２、５４）。
ここで指定されるスケジューリング可能リソースブロックは、例えば、図１１に示すような形でＲＥＣ２０のメモリ２５に格納される。これらの値は、上位装置から書き換え可能である。
【００４５】
ＲＥＣ２０の制御部２４は、スケジューリング可能リソースブロックの判定後、ベースバンド信号処理部２２へスケジューリング可能リソースブロックを送る。ベースバンド信号処理部２２は指定されたスケジューリング可能リソースブロックの範囲内でスケジューリングを行う。
【００４６】
運用帯域が１０ＭＨｚの場合、図１を参照して説明したようにリソースブロック数は５０である。実施例３の処理により、例えば、通常運用時はリソースブロックＮｏ．１〜５０を使用してスケジューリングを実施し、バッテリー動作時にはリソースブロックＮｏ．２０〜３０を使用してスケジューリングを実施することで、送信電力を低減することが可能となる。また、この場合共通チャネル等の再コンフィグレーションが不要であるため、システム停止を伴うことなく送信電力を低減することが可能である。
【００４７】
なお、電源供給復旧時は、ＲＥ１０の電源監視部１５で電源供給元をバッテリーから電源に切り替え、電源切替通知として通常電源動作であることをＲＥＣ２０に通知することで、通常運用に復旧することが可能となる。
【実施例４】
【００４８】
図１２、図１３を参照して実施例４を説明する。実施例４は実施例３の変形例であり、スケジューリング可能リソースブロックを指定するのではなく、スケジューリング可能最大リソースブロック数を指定するものである。
【００４９】
スケジューリング可能最大リソースブロック数は図１２に示すフローチャートに従い、通常電源動作であるか、バッテリー動作であるかにより算出する。すなわち、制御部２４は、ＲＥ１０の電源が通常電源であるかバッテリーであるか判定し（ステップＰ６０）、電源に応じてスケジューリング可能最大リソースブロック数を指定する（ステップＰ６２、６４）。ここで指定されるスケジューリング可能最大リソースブロック数は、例えば、図１３に示すような形でＲＥＣ２０のメモリ２５に格納される。これらの値は、上位装置から書き換え可能である。
【００５０】
ＲＥＣ２０の制御部２４はスケジューリング可能最大リソースブロック数の判定後、ベースバンド信号処理部２２へスケジューリング可能最大リソースブロック数送出する。ベースバンド信号処理部２２は指定されたスケジューリング可能最大リソースブロック数の範囲内でスケジューリングを行う。
【００５１】
運用帯域が１０ＭＨｚの場合、図１を参照して説明したようにリソースブロックは５０である。これらの処理により、例えば、通常運用時は５０個のリソースブロックを使用してスケジューリングを実施し、バッテリー動作時には最大１０個のリソースブロックを使用してスケジューリングを実施することで、送信電力を低減することが可能となる。また、この場合、共通チャネル等の再コンフィグレーションが不要であるため、システム停止を伴うことなく送信電力を低減することが可能である。さらに、本実施例では、使用可能なリソースブロック番号を指定しないため、フェージングを考慮して最適割り当てを行うスケジューラを用いている場合は、実施例３と比較してスループットの向上も見込まれる。
【００５２】
なお、電源供給復旧時は、ＲＥ１０の電源監視部１５で電源供給元をバッテリーから電源に切り替え、電源切替通知として通常電源動作であることをＲＥＣ２０に通知することで、通常運用に復旧することが可能となる。
【００５３】
実施例３と実施例４では、ＲＥ１０はバッテリー動作になった際に、それをＲＥＣ２０に通知する。ＲＥＣ２０はバッテリー動作になったことの通知を受けると、スケジューリング可能リソースブロックやスケジューリング可能最大リソースブロック数を制限することにより、ベースバンド信号処理部２２でスケジューリングする帯域幅を制限する。これにより、送信電力が低減され消費電力が抑えられる為、バッテリーの小型化、もしくはバッテリーでの長時間運用が可能となる。また、スケジューリングの変更であるため、共通チャネル等の再コンフィグレーションが不要であり、システム停止を伴うことなく消費電力を抑えることが可能である。スケジューリング可能最大リソースブロック数の制限によるスケジューリングする帯域幅制限の場合、フェージングを考慮して最適割り当てを行うスケジューラとの組合せではスループットの低下を最小限に抑えることが可能である。
【実施例５】
【００５４】
図２及び図１４〜１６を参照して実施例５を説明する。実施例５は、実施例２と実施例３を組み合わせたものである。図１４は、実施例５によるバッテリー動作時のスケジューリング可能リソースブロック判定を示すシーケンス図である。図１５は実施例５によるスケジューリング可能リソースブロック判定を示すフローチャートであり、図１６は実施例５によるスケジューリング可能リソースブロック設定の例を示す図である。
【００５５】
ＲＥ１０側での電源供給切替動作やバッテリー残量の監視、ＲＥからＲＥＣへのバッテリー動作、バッテリー残量の通知（ステップＳ３０〜３６）については実施例２と同様である。本実施例では、運用帯域判定の代わりに、スケジューリング可能リソースブロック判定を行う（ステップＳ３８Ａ）。
【００５６】
スケジューリング可能リソースブロックの算出の際に、図１５に示すフローチャートに従い、通常電源動作であるか、バッテリー動作であるか、また、バッテリー動作の場合、バッテリー残量が事前に設定したバッテリー残量閾値以上であるか、以下かであるかにより、スケジューリング可能リソースブロックの判定を実施する（ステップＳ４４Ａ）。すなわち、制御部２４は、ＲＥ１０の電源状態を調べ（ステップＰ３０）、バッテリー動作状態であるときはバッテリー残量とバッテリー残量閾値とを比較する（ステップＰ３２）。そして、各場合に応じてスケジューリング可能リソースブロックを指定する（ステップＳ３４Ａ〜３８Ａ）。ここで指定されるスケジューリング可能リソースブロックは、例えば、図１６に示すような形でＲＥＣ２０のメモリ２５に格納される。これらの値は、上位装置から書き換え可能である。また、閾値を複数設けることにより、細かいスケジューリング可能リソースブロック変更が可能となる。
【００５７】
これらの処理により、バッテリー残量に応じた柔軟なスケジューリング可能リソースブロックの設定が可能となる。
【００５８】
なお、電源供給復旧時は、ＲＥ１０の電源監視部１５で電源供給元をバッテリーから電源に切り替え、電源切替通知として通常電源動作であることをＲＥＣ２０に通知することで、通常運用に復旧することが可能となる。
【実施例６】
【００５９】
図１７、図１８を参照して実施例６を説明する。実施例６は実施例２と実施例４を組み合わせたものである。また、実施例６は実施例５の変形例でもあり、スケジューリング可能リソースブロックを指定するのではなく、スケジューリング可能最大リソースブロック数を指定するものである。図１７は実施例６によるスケジューリング可能最大リソースブロック数判定を示すフローチャートであり、図１８は実施例６によるスケジューリング可能最大リソースブロック数設定の例を示す図である。
【００６０】
スケジューリング可能最大リソースブロック数の算出の際に、図１７に示すチャートに従い、通常電源動作であるか、バッテリー動作であるか（ステップＰ３０）、また、バッテリー動作の場合、バッテリー残量が事前に設定したバッテリー残量閾値以上であるか、以下であるか（ステップＰ３２）により、スケジューリング可能最大リソースブロック数の判定を実施する（ステップＰ３４Ｂ〜３８Ｂ）。ここで指定されるスケジューリング可能最大リソースブロック数は、例えば、図１８に示すような形でＲＥＣ２０のメモリ２５に格納される。これらの値は、上位装置から書き換え可能である。また、閾値を複数設けることにより、細かいスケジューリング可能リソースブロック変更が可能となる。
【００６１】
ＲＥＣ２０の制御部２４はスケジューリング可能最大リソースブロック数の判定後、ベースバンド信号処理部２２へスケジューリング可能最大リソースブロック数を送出する。ベースバンド信号処理部２２は指定されたスケジューリング可能最大リソースブロック数の範囲内でスケジューリングを行う。
【００６２】
これらの処理により、バッテリー残量に応じた柔軟なスケジューリング可能最大リソースブロック数の設定が可能となる。
【００６３】
なお、電源供給復旧時は、ＲＥ１０の電源監視部１５で電源供給元バッテリーから電源に切り替え、電源切替通知として通常電源動作であることをＲＥＣ２０に通知することで、通常運用に復旧することが可能となる。
【００６４】
このように、実施例５、６では、ＲＥ１０はバッテリー動作になった際に、バッテリー動作であることとバッテリー残量をＲＥＣ２０に通知する。ＲＥＣ２０は、バッテリー残量と事前に設定しておいたバッテリー残量閾値とを比較することでスケジューリング可能リソースブロックやスケジューリング可能最大リソースブロック数を制限することにより、ベースバンド信号処理部２２でスケジューリングする帯域幅を制限する。これにより、バッテリー残量に応じた柔軟な運用制限が可能となる。
【００６５】
なお、実施例３から実施例６において、スケジューリング可能リソースブロック判定、スケジューリング可能最大リソースブロック数判定を制御部２４で実施したが、各種パラメータ（バッテリー動作状態、バッテリー残量、各設定テーブル）をベースバンド信号処理部２２に通知して、ベースバンド信号処理部２２で判定を行うことも可能である。
【００６６】
また、実施例３から実施例６において、スケジューリングに使用するスケジューリング可能リソースブロックやスケジューリング可能最大リソースブロック数の変更を、バッテリーの動作状態に応じた制御ではなく、上位装置からからの指示に基づき行うことも可能である。この場合、例えば、時刻や地域をパラメータとして低消費電力動作を切り替えることが考えられる。
【００６７】
さらに、上記の実施例においてはＲＥ１０とＲＥＣ２０が分離された構成としているが、本開示はＲＥ１０とＲＥＣ２０とが一体となった無線基地局装置にも適用可能である。
【００６８】
以上、本発明の実施の形態について詳述したが、本発明は特有の実施形態に限定されるものではなく、特許請求の範囲に記載された本発明の要旨の範囲内において、種々の変形及び変更が可能である。
【００６９】
以上の実施例１ないし６も含む実施形態に関し、さらに以下の付記を開示する。
（付記１）
バッテリー又は外部からの電力を供給する電源からの電力供給を受けて動作する無線装置と、
前記無線装置を制御する無線制御装置とを有し、
前記無線制御装置は、前記無線装置における前記電源と前記バッテリーとの電力供給元の切り替えに応じて、前記無線装置の運用帯域を変更する制御を行うことを特徴とする無線基地局装置。
（付記２）
前記無線装置は自装置における電力供給元が前記電源と前記バッテリーとで切り替わったことを前記無線制御装置に通知し、
前記無線制御装置は、前記通知に応じて前記無線装置の運用帯域を変更する制御を行うことを特徴とする付記１記載の無線基地局装置。
（付記３）
前記無線装置は、前記バッテリーからの電力供給を受けて動作しているとき、前記バッテリーの残量を前記無線制御装置に通知し、
前記無線制御装置は、前記無線装置から通知されたバッテリーの残量に応じて、前記無線装置の運用帯域を変更する制御を行う、付記１に記載の無線基地局装置。
（付記４）
バッテリー又は外部からの電力を供給する電源からの電力供給を受けて動作する無線装置と、
前記無線装置を制御する無線制御装置とを有し、
前記無線装置は、電力供給が前記電源と前記バッテリーとで切り替わったことを前記無線制御装置に通知し、
前記無線制御装置は、前記無線装置における前記電源と前記バッテリーとの電力供給元の切り替えに応じて、前記無線装置に対してスケジューリングする帯域幅を変更する制御を行うことを特徴とする無線基地局装置。
（付記５）
前記無線制御装置は、リソースブロックを変更することにより前記無線装置に対してスケジューリングする帯域幅を変更する、付記４に記載の無線基地局装置。
（付記６）
前記無線制御装置は、最大リソースブロック数を変更することにより前記無線装置に対してスケジューリングする帯域幅を変更する、付記４に記載の無線基地局装置。
（付記７）
前記無線装置は、前記バッテリーからの電力供給を受けて動作しているとき、前記バッテリーの残量を前記無線制御装置に通知し、
前記無線制御装置は、前記無線装置から通知されたバッテリーの残量に応じて、前記無線装置に対してスケジューリングする帯域幅を変更する、付記４ないし６いずれか一項に記載の無線基地局装置。
（付記８）
複数の運用帯域により無線端末と無線信号を送受信する送受信増幅部と、
バッテリー又は外部からの電力を供給する電源部と、
前記電源部を監視して前記電源部からの電力供給が止まったときに前記バッテリーに切り替える電源監視部と、
電力供給が前記電源から前記バッテリーに切り替わったことを無線制御装置に通知し、前記無線制御装置からの指示に応じて前記送受信増幅部の運用帯域を変更する制御を行う制御部とを有する無線装置。
（付記９）
前記電源監視部は、前記バッテリーからの電力供給を受けて動作しているとき、前記バッテリーの残量を前記無線制御装置に通知する、付記８に記載の無線装置。
【符号の説明】
【００７０】
１０  無線装置
１１  アンテナ
１２  送受信増幅部
１３  インタフェース部
１４  制御部
１５  電源監視部
１６  電源部
１７  バッテリー
１８  外部バッテリー
２０  無線制御装置
２１  インタフェース部
２２  ベースバンド信号処理部
２３  回線終端部
２４  制御部
２５  メモリ
１００  無線基地局装置
【図１】
0005428695.tif 000002
【図２】
0005428695.tif 000003
【図３】
0005428695.tif 000004
【図４】
0005428695.tif 000005
【図５】
0005428695.tif 000006
【図６】
0005428695.tif 000007
【図７】
0005428695.tif 000008
【図８】
0005428695.tif 000009
【図９】
0005428695.tif 000010
【図１０】
0005428695.tif 000011
【図１１】
0005428695.tif 000012
【図１２】
0005428695.tif 000013
【図１３】
0005428695.tif 000014
【図１４】
0005428695.tif 000015
【図１５】
0005428695.tif 000016
【図１６】
0005428695.tif 000017
【図１７】
0005428695.tif 000018
【図１８】
0005428695.tif 000019